(57)【要約】【課題】一対のナイフとフォークとが容易に揃い、取扱いやすいとともに、床に落としにくいナイフとフォークを提供することにある。【解決手段】一対のナイフ１とフォーク２の両者を非磁性体金属により形成し、一方にＳ極の磁性が表面に現れるように永久磁石３を配設し、他方にＮ極の磁性が表面に現れるように永久磁石４を配設した。【選択図】        図２
2009089798.tif 000002
【特許請求の範囲】
【請求項１】
一対のナイフとフォークとを、永久磁石により付くようにしたことを特徴とする、ナイフとフォーク。
【請求項２】
一対のナイフとフォークの一方を磁性体金属により形成し、他方に永久磁石を配設したことを特徴とする、請求項１に記載のナイフとフォーク。
【請求項３】
一対のナイフとフォークの両者を非磁性体金属により形成し、一方にＳ極の磁性が表面に現れるように永久磁石を配設し、他方にＮ極の磁性が表面に現れるように永久磁石を配設したことを特徴とする、請求項１に記載のナイフとフォーク。
【請求項４】
上記ナイフとフォークとを、刃の部分は金属により形成し、柄の部分は木（竹を含む）、合成樹脂或いは陶磁器等の非金属で形成し、柄の部分に永久磁石を配設したことを特徴とする、請求項１に記載のナイフとフォーク。
【請求項５】
上記ナイフとフォークとを、刃の部分は非磁性体金属により形成し、柄の部分は木（竹を含む）、合成樹脂或いは陶磁器等の非金属で形成し、刃の部分と柄の部分との連結部に永久磁石を配設したことを特徴とする、請求項１に記載のナイフとフォーク。
【発明の詳細な説明】
【技術分野】
【０００１】
本発明は、ナイフとフォークに関し、特に、一対のナイフとフォークとが容易に揃い、取扱いやすいとともに、床に落ちにくいナイフとフォークに関するものである。
【背景技術】
【０００２】
一時期、テロ対策の観点等から、航空機内における機内食において、プラスチック製のナイフとフォークが使用されていたが、近年、金属製のナイフとフォークも復旧しつつある。
ここで、プラスチック製にしても、金属製にしても、航空機内のテーブルは狭いために、ナイフやフォークを床に落としやすいと言う課題があった。
【０００３】
また、レストランにおいて、ステーキ、ハンバーグ等を食する場合には、ナイフとフォークが使用されるが、該ナイフとフォークとは、テーブルの上に置かれた籠の中に入れられていたり、ウエートレス（或いはウエーター）が料理とともに運んでくるが、一対のナイフとフォークとが揃っていると、籠から取り出しやすく、またウエートレス等も運びやすい。
【発明の開示】
【発明が解決しようとする課題】
【０００４】
本発明は、上述した背景技術に鑑み成されたものであって、その目的は、一対のナイフとフォークとが容易に揃い、取扱いやすいとともに、床に落としにくいナイフとフォークを提供することにある。
【課題を解決するための手段】
【０００５】
上記した目的を達成するため、請求項１のナイフとフォークは、一対のナイフとフォークとを、永久磁石により付くようにしたことを特徴とする。
【０００６】
また、請求項２のナイフとフォークは、上記請求項１のナイフとフォークにおいて、一対のナイフとフォークの一方を磁性体金属により形成し、他方に永久磁石を配設したことを特徴とする。
【０００７】
また、請求項３のナイフとフォークは、上記請求項１のナイフとフォークにおいて、一対のナイフとフォークの両者を非磁性体金属により形成し、一方にＳ極の磁性が表面に現れるように永久磁石を配設し、他方にＮ極の磁性が表面に現れるように永久磁石を配設したことを特徴とする。
【０００８】
また、請求項４のナイフとフォークは、上記請求項１のナイフとフォークにおいて、上記ナイフとフォークとを、刃の部分は金属により形成し、柄の部分は木（竹を含む）、合成樹脂或いは陶磁器等の非金属で形成し、柄の部分に永久磁石を配設したことを特徴とする。
【０００９】
さらに、請求項５のナイフとフォークは、上記請求項１のナイフとフォークにおいて、上記ナイフとフォークとを、刃の部分は非磁性体金属により形成し、柄の部分は木（竹を含む）、合成樹脂或いは陶磁器等の非金属で形成し、刃の部分と柄の部分との連結部に永久磁石を配設したことを特徴とする。
【発明の効果】
【００１０】
上記した請求項１の本発明によれば、一対のナイフとフォークとを、永久磁石により付くようにしたため、ナイフとフォークを軽く揃えて近づけるだけできちんと揃い、その後に僅かな振動を加えてもバラバラになることはないため、航空機内の狭いテーブルの上においても、床に落としにくいものとなる。また、ナイフとフォークとが揃った状態で付いているため、籠から取り出す際、またウエートレス（或いはウエーター）が運ぶ際に、その取扱いが容易なものとなる。
【００１１】
また、上記した請求項２の本発明によれば、上記請求項１の発明の効果に加え、一対のナイフとフォークの一方を永久磁石が付く磁性体金属により形成し、他方に永久磁石を配設したため、永久磁石はナイフとフォークのいずれか一方にのみ設ければよく、その製造が容易となるとともに、安価に永久磁石によって揃う一対のナイフとフォークを提供することができる。
【００１２】
また、上記した請求項３の本発明によれば、上記請求項１の発明の効果に加え、一対のナイフとフォークの両者を永久磁石が付かない非磁性体金属により形成し、一方にＳ極の磁性が表面に現れるように永久磁石を配設し、他方にＮ極の磁性が表面に現れるように永久磁石を配設したため、ナイフ同士、或いはフォーク同士が付くことはなく、かならず一対のナイフとフォークとが対となって永久磁石によって付くこととなり、しかも永久磁石によって付くナイフとフォークの位置関係は限られたものとなるため、常にナイフとフォークとが一定の位置関係できれいに揃うものとなる。
【００１３】
また、上記した請求項４の本発明によれば、上記請求項１の発明の効果に加え、刃の部分は硬質で、肉を切る、肉を刺す等の作業性のよい金属により形成し、柄の部分は熱が伝わりにくく、手触りのよい木（竹を含む）、合成樹脂、或いは陶磁器等の非金属で形成したため、取扱いやすいとともに高級感があり、熱い鉄皿上に置かれた状態のままでも柄の部分が熱くなりにくいナイフとフォークを提供することができる。
【００１４】
また、上記した請求項５の本発明によれば、上記請求項１の発明及び上記請求項４の発明の効果に加え、刃の部分は非磁性体金属により形成し、柄の部分は木（竹を含む）、合成樹脂、或いは陶磁器等の非金属で形成し、刃の部分と柄の部分との連結部に永久磁石を配設したため、永久磁石の配設が容易であるとともに、永久磁石によって付くナイフとフォークの位置関係は限られたものとなり、常にナイフとフォークとを一定の位置関係できれいに揃うものとなる。
【発明を実施するための最良の形態】
【００１５】
以下、上記した本発明に係るナイフとフォークを、図面に示した実施の形態に基づいて詳細に説明する。
なお、図１は、本発明に係るナイフとフォークの第１の実施の形態を示した分解斜視図、図２は、図１のナイフとフォークを揃えて置いた状態を示した斜視図である。また、図３は、本発明に係るナイフとフォークの第２の実施の形態を示した分解斜視図、図４は、図３のナイフとフォークを揃えて置いた状態を示した斜視図である。
【００１６】
図１に示した本発明に係る一対のナイフ１とフォーク２は、永久磁石の付かない非磁性体金属、例えば、チタン、アルミニューム、オーステナイト系ステンレス等によって、それぞれ一体的にナイフ形状、或いはフォーク形状に形成されている。そして、ナイフ１の刃の部分１ａを左方向に向けた場合の柄の部分１ｂの上面には、図１に示したように、凹部１ｃが形成されている。また、フォーク２の柄の部分２ｂの裏面にも、図１に示したように、凹部２ｃが形成されている。
【００１７】
そして、上記ナイフ１の柄の部分に形成された凹部１ｃには、永久磁石３が、Ｓ極、Ｎ極のいずれか一方の磁性、例えば図１に示したように、Ｓ極の磁性が表面に現れるように埋め込まれる。また、上記フォーク２の柄の部分に形成された凹部２ｃにも、同じく永久磁石４が、Ｓ極、Ｎ極のいずれか他方の磁性、例えば図１に示したように、Ｎ極の磁性が表面に現れるように埋め込まれる。この埋め込まれる永久磁石３，４の種類は、特には限定されないが、耐久性及び磁力等の観点から、サマリウムコバルト永久磁石、ネオジウム永久磁石のような希土類永久磁石が好ましく使用される。
【００１８】
上記永久磁石３，４の凹部１ｃ，２ｃへの埋め込みによる固定は、樹脂系接着剤による接着であってもよいが、金属系ろう材を用いたろう付けが接合強度の観点等から好ましく、更には、磁性体金属系ろう材を用い、永久磁石３，４を凹部１ｃ，２ｃ内に接合固定するとともに、永久磁石３，４の表面を該磁性体金属系ろう材により覆い、永久磁石３，４を凹部１ｃ，２ｃ内に埋設することが、永久磁石の磁力を弱めることなく、その脱落を防止できるとともに、外観性が向上するために特に好ましい。
【００１９】
上記のように構成された本発明に係るナイフとフォークは、一対のナイフ１とフォーク２とがともに永久磁石が付かない非磁性体金属により形成され、一方に（実施の形態ではナイフ１に）Ｓ極の磁性が表面に現れるように永久磁石３が埋め込まれ、他方に（実施の形態ではフォーク２に）Ｎ極の磁性が表面に現れるように永久磁石４が埋め込まれているため、ナイフ同士、或いはフォーク同士が付くことはなく、かならず一対のナイフ１とフォーク２とが対となって永久磁石３，４によって付くこととなる。
【００２０】
また、永久磁石３，４の配設位置は、ナイフ１とフォーク２との特定位置（実施の形態では、ナイフ１の刃の部分１ａを左方向に向けた場合の柄の部分１ｂの上面、フォーク２の柄の部分２ｂの裏面）であるため、永久磁石３，４によって付くナイフ１とフォーク２との位置関係は決まったものとなり、実施の形態に係るナイフ１とフォーク２にあっては、図２に示すように、ナイフ１の刃の部分１ａが左方向に向き、その上にフォーク２が刃の部分２ａを上に向けて載置した状態で永久磁石３，４同士が付くこととなり、常にこの位置関係でナイフ１とフォーク２とがきれいに揃うこととなる。
【００２１】
図３に示した第２の実施の形態に係る本発明のナイフ１１とフォーク１２は、それぞれ刃の部分１１ａ，１２ａと、柄の部分１１ｂ，１２ｂとが異なる材質により形成されており、刃の部分１１ａ，１２ａは、硬質で、肉を切る、肉を刺す等の作業性のよい非磁性体金属、例えば、チタン、アルミニューム、オーステナイト系ステンレス等によって形成され、柄の部分１１ｂ，１２ｂは、熱が伝わりにくく、手触りのよい木（竹を含む）、合成樹脂或いは陶磁器等の非金属により形成されている。
【００２２】
そして、それぞれの刃の部分１１ａ，１２ａの後端には、雄ねじ１３が突設されている。また、それぞれの柄の部分１１ｂ，１２ｂの先端には、該先端から柄の長手方向に沿って穴１１ｃ，１２ｃが形成されており、該穴１１ｃ，１２ｃには、それぞれ上記雄ねじ１３が螺合する雌ねじ１４が刻設されている。
【００２３】
上記ナイフ１１の刃の部分１１ａと柄の部分１１ｂとは、外周にＳ極、Ｎ極のいずれかの一方の磁性、例えば図３に示したように、外周にＳ極の磁性が現れた円環状の永久磁石１５を挟んだ状態で、上記刃の部分１１ａの後端に形成された雄ねじ１３を、柄の部分１１ｂの先端に形成された雌ねじ１４に螺合することによって、永久磁石１５をその連結部に配設した状態で結合される。また、上記フォーク１２の刃の部分１２ａと柄の部分１２ｂとは、外周にＳ極、Ｎ極のいずれかの他方の磁性、例えば図３に示したように、外周にＮ極の磁性が現れた円環状の永久磁石１６を挟んだ状態で、上記刃の部分１２ａの後端に形成された雄ねじ１３を、柄の部分１２ｂの先端に形成された雌ねじ１４に螺合することによって、永久磁石１６をその連結部に配設した状態で結合される。
【００２４】
上記のように構成された本発明に係るナイフとフォークは、やはり一対のナイフ１１とフォーク１２とが対となって永久磁石１５，１６によって付くこととなり、両者を軽く揃えて近づけるだけで、図４に示したように、一対のナイフ１１とフォーク１２とがきちんと揃い、その後に僅かな振動を加えてもバラバラになることはないため、航空機内の狭いテーブルの上においても、床に落としにくいものとなる。また、ナイフ１１とフォーク１２とが揃った状態で付いているため、籠から取り出す際、またウエートレス（或いはウエーター）が運ぶ際に、その取扱いが容易なものとなる。
【００２５】
また、刃の部分１１ａ，１２ａは硬質で、肉を切る、肉を刺す等の作業性のよい金属により形成され、柄の部分１１ｂ，１２ｂは熱が伝わりにくく、手触りのよい木（竹を含む）、合成樹脂、或いは陶磁器等の非金属で形成されているため、取扱いやすいとともに高級感があり、熱い鉄皿上に置かれた状態のままでも柄の部分１１ｂ，１２ｂが熱くなりにくいナイフ１１とフォーク１２を提供することができる。
【００２６】
さらに、永久磁石１５，１６の配設が、異なる材料により形成された刃の部分１１ａ，１２ａと柄の部分１１ｂ，１２ｂとの結合時に同時に行われるため、永久磁石１５，１６の配設が容易であり、製造コストを低く抑えることができるとともに、永久磁石１５，１６は、それぞれのナイフ１１とフォーク１２の長手方向中心付近に配設されることとなるため、安定した状態でナイフ１１とフォーク１２とを揃えた状態で磁力により付けることができるものとなる。
【００２７】
以上、本発明に係るナイフとフォークの実施の形態を説明したが、本発明は、何ら既述の実施の形態に限定されず、特許請求の範囲に記載した本発明の技術的思想の範囲内において、さらに様々な変形および変更が可能であることは当然である。
【００２８】
例えば、上記第１の実施の形態では、ナイフ１とフォーク２との両者を非磁性体金属により形成し、両者にそれぞれ永久磁石３，４を配設したものに付き説明したが、ナイフとフォークの一方を永久磁石の付く磁性体金属、例えば鉄、ニッケル、フェライト系やマルテンサイト系ステンレスによって形成し、他方のみに永久磁石を配設した構成としてもよい。
また、上記第２の実施の形態でも、ナイフ１１とフォーク１２との両者にそれぞれ円環状の永久磁石１５，１６を配設したものに付き説明したが、一方を永久磁石の付く円環状の磁性体金属とし、他方のみを円環状の永久磁石としてもよい。
【図面の簡単な説明】
【００２９】
【図１】本発明に係るナイフとフォークの第１の実施の形態を示した分解斜視図である。
【図２】図１のナイフとフォークを揃えて置いた状態を示した斜視図である。
【図３】本発明に係るナイフとフォークの第２の実施の形態を示した分解斜視図である。
【図４】図３のナイフとフォークを揃えて置いた状態を示した斜視図である。
【符号の説明】
【００３０】
１，１１          ナイフ
２，１２          フォーク
１ａ，１１ａ      ナイフの刃の部分
２ａ，１２ａ      フォークの刃の部分
１ｂ，１１ｂ      ナイフの柄の部分
２ｂ，１２ｂ      フォークの柄の部分
１ｃ              ナイフの柄の部分に形成された凹部
２ｃ              フォークの柄の部分に形成された凹部
３，４            永久磁石
１１ｃ            ナイフの柄の部分の先端に形成された穴
１２ｃ            フォークの柄の部分の先端に形成された穴
１３              雄ねじ
１４              雌ねじ
１５，１６        永久磁石
【図１】
2009089798.tif 000003
【図２】
2009089798.tif 000004
【図３】
2009089798.tif 000005
【図４】
2009089798.tif 000006